【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
ビデオ符号化のための方法であって、
ピクチャ内の符号化されるブロックに関して、多数の予測子候補を有する予測子候補のセットにアクセスすることであって、予測子候補は、符号化された空間または時間的隣接ブロックに対応することと、
前記予測子候補のセットから予測子候補を選択することと、
前記予測子候補のセットから前記選択された予測子候補に関連する複数の動きベクトルを用いて、前記ブロックに関する制御点動きベクトルのセットを得ることと、
前記制御点動きベクトルのセットに基づいて、動きモデルに基づく動きフィールドを得ることであって、前記動きフィールドは、前記符号化されるブロックの全てのサブブロックの予測のために用いられた動きベクトルを識別することと、
前記動きフィールドに基づいて前記ブロックを符号化することと、
前記予測子候補のセットから前記選択された予測子候補に関するインデックスを符号化することと
を備える方法。
【請求項２】
前記動きモデルはアフィンモデルである、請求項１に記載の方法。
【請求項３】
前記ブロックに関する前記制御点動きベクトルのセットは、前記ブロックに関する前記動きフィールドの前記動きベクトルとは別に格納される、請求項１に記載の方法。
【請求項４】
前記動きフィールドの前記格納された動きベクトルは、前記ブロックの動き補償のためのものである、請求項３に記載の方法。
【請求項５】
前記選択された予測子候補に関する第２の制御点動きベクトルのセットにアクセスすることを更に備え、前記第２の制御点動きベクトルのセットは、前記選択された予測子候補の全てのサブブロックの動きベクトルとは別に格納され、前記ブロックに関する前記制御点動きベクトルのセットは、前記選択された予測子候補に関する前記第２の制御点動きベクトルのセットに応じて得られ、前記選択された予測子候補の全てのサブブロックの前記動きベクトルは、前記選択された予測子候補の動き補償のためのものである、請求項３に記載の方法。
【請求項６】
ビデオ復号のための方法であって、
ピクチャ内の復号されるブロックに関して、予測子候補に対応するインデックスにアクセスすることであって、前記予測子候補は、復号された空間または時間的隣接ブロックに対応することと、
前記予測子候補に関連する複数の動きベクトルを用いて、前記復号されるブロックに関する制御点動きベクトルのセットを得ることと、
前記制御点動きベクトルのセットに基づいて、動きモデルに基づく動きフィールドを得ることであって、前記動きフィールドは、前記復号されるブロックの全てのサブブロックの予測のために用いられた動きベクトルを識別することと、
前記動きフィールドに基づいて前記ブロックを復号することと
を備える方法。
【請求項７】
前記動きモデルはアフィンモデルである、請求項６に記載の方法。
【請求項８】
前記ブロックに関する前記制御点動きベクトルのセットは、前記ブロックに関する前記動きフィールドの前記動きベクトルとは別に格納される、請求項６に記載の方法。
【請求項９】
前記動きフィールドの前記格納された動きベクトルは、前記ブロックの動き補償のためのものである、請求項８に記載の方法。
【請求項１０】
前記選択された予測子候補に関する第２の制御点動きベクトルのセットにアクセスすることを更に備え、前記第２の制御点動きベクトルのセットは、前記選択された予測子候補の全てのサブブロックの動きベクトルとは別に格納され、前記ブロックに関する前記制御点動きベクトルのセットは、前記選択された予測子候補に関する前記第２の制御点動きベクトルのセットに応じて得られ、前記選択された予測子候補の全てのサブブロックの前記動きベクトルは、前記選択された予測子候補の動き補償のためのものである、請求項８に記載の方法。
【請求項１１】
ビデオ符号化のための装置であって、
１または複数のプロセッサを備え、前記１または複数のプロセッサは、
ピクチャ内の符号化されるブロックに関して、符号化された空間または時間的隣接ブロックに対応する多数の予測子候補を有する予測子候補のセットにアクセスし、
前記予測子候補のセットから予測子候補を選択し、
前記予測子候補のセットから前記選択された予測子候補に関連する複数の動きベクトルを用いて、前記ブロックに関する制御点動きベクトルのセットを得、
前記制御点動きベクトルのセットに基づいて、前記符号化されるブロックの全てのサブブロックの予測のために用いられた動きベクトルを識別する、動きモデルに基づく動きフィールドを得、
前記動きフィールドに基づいて前記ブロックを符号化し、
前記予測子候補のセットから前記選択された予測子候補に関するインデックスを符号化するように構成される装置。
【請求項１２】
前記動きモデルはアフィンモデルである、請求項１１に記載の装置。
【請求項１３】
前記ブロックに関する前記制御点動きベクトルのセットは、前記ブロックに関する前記動きフィールドの前記動きベクトルとは別に格納される、請求項１１に記載の装置。
【請求項１４】
前記動きフィールドの前記格納された動きベクトルは、前記ブロックの動き補償のためのものである、請求項１３に記載の装置。
【請求項１５】
前記１または複数のプロセッサは更に、
前記選択された予測子候補に関する第２の制御点動きベクトルのセットにアクセスするように構成され、前記第２の制御点動きベクトルのセットは、前記選択された予測子候補の全てのサブブロックの動きベクトルとは別に格納され、前記ブロックに関する前記制御点動きベクトルのセットは、前記選択された予測子候補に関する前記第２の制御点動きベクトルのセットに応じて得られ、前記選択された予測子候補の全てのサブブロックの前記動きベクトルは、前記選択された予測子候補の動き補償のためのものである、請求項１３に記載の装置。
【請求項１６】
ビデオ復号のための装置であって、
１または複数のプロセッサを備え、前記１または複数のプロセッサは、
ピクチャ内の復号されるブロックに関して、復号された空間または時間的隣接ブロックに対応する予測子候補に対応するインデックスにアクセスし、
前記予測子候補に関連する複数の動きベクトルを用いて、前記復号されるブロックに関する制御点動きベクトルのセットを得、
前記制御点動きベクトルのセットに基づいて、前記復号されるブロックの全てのサブブロックの予測のために用いられた動きベクトルを識別する、動きモデルに基づく動きフィールドを得、
前記動きフィールドに基づいて前記ブロックを復号するように構成される装置。
【請求項１７】
前記動きモデルはアフィンモデルである、請求項１６に記載の装置。
【請求項１８】
前記ブロックに関する前記制御点動きベクトルのセットは、前記ブロックに関する前記動きフィールドの前記動きベクトルとは別に格納される、請求項１６に記載の装置。
【請求項１９】
前記動きフィールドの前記格納された動きベクトルは、前記ブロックの動き補償のためのものである、請求項１８に記載の装置。
【請求項２０】
前記１または複数のプロセッサは更に、
前記選択された予測子候補に関する第２の制御点動きベクトルのセットにアクセスするように構成され、前記第２の制御点動きベクトルのセットは、前記選択された予測子候補の全てのサブブロックの動きベクトルとは別に格納され、前記ブロックに関する前記制御点動きベクトルのセットは、前記選択された予測子候補に関する前記第２の制御点動きベクトルのセットに応じて得られ、前記選択された予測子候補の全てのサブブロックの前記動きベクトルは、前記選択された予測子候補の動き補償のためのものである、請求項１８に記載の装置。
【手続補正２】
【補正対象書類名】明細書
【補正対象項目名】０１２０
【補正方法】変更
【補正の内容】
【０１２０】
[１４７]  当業者には明らかであるように、実装は、たとえば格納または送信され得る情報を搬送するためにフォーマット化された様々な信号を生成してよい。情報は、たとえば方法を行うための命令、または説明された実装の１つによって生成されたデータを含んでよい。たとえば信号は、説明された実施形態のビットストリームを搬送するためにフォーマット化され得る。そのような信号は、たとえば（たとえばスペクトルの無線周波数部分を用いて）電磁波として、またはベースバンド信号としてフォーマット化され得る。フォーマット化は、たとえば、データストリームを符号化すること、および符号化されたデータストリームを用いて搬送波を変調することを含んでよい。信号が搬送する情報は、たとえばアナログまたはデジタル情報であってよい。信号は、既知のように、異なる様々な有線または無線リンクを介して送信され得る。信号は、プロセッサ可読媒体に格納され得る。
ここで、以下の付記を記載する。
［付記１］
ビデオ符号化のための方法であって、
ピクチャ内の符号化されるブロックに関して、複数の予測子候補を有する予測子候補のセットにアクセスすることであって、予測子候補は、符号化された空間または時間的隣接ブロックに対応することと、
前記予測子候補のセットから予測子候補を選択することと、
前記予測子候補のセットから前記選択された予測子候補に関連する複数の動きベクトルを用いて、前記ブロックに関する制御点動きベクトルのセットを得ることと、
前記制御点動きベクトルのセットに基づいて、動きモデルに基づく動きフィールドを得ることであって、前記動きフィールドは、前記符号化されるブロックのサブブロックの予測のために用いられた動きベクトルを識別することと、
前記動きフィールドに基づいて前記ブロックを符号化することと、
前記予測子候補のセットから前記選択された予測子候補に関するインデックスを符号化することと
を備える方法。
［付記２］
ビデオ復号のための方法であって、
ピクチャ内の復号されるブロックに関して、予測子候補に対応するインデックスにアクセスすることであって、前記予測子候補は、復号された空間または時間的隣接ブロックに対応することと、
前記予測子候補に関連する複数の動きベクトルを用いて、前記復号されるブロックに関する制御点動きベクトルのセットを得ることと、
前記制御点動きベクトルのセットに基づいて、動きモデルに基づく動きフィールドを得ることであって、前記動きフィールドは、前記復号されるブロックのサブブロックの予測のために用いられた動きベクトルを識別することと、
前記動きフィールドに基づいて前記ブロックを復号することと
を備える方法。
［付記３］
ビデオ符号化のための装置であって、
ピクチャ内の符号化されるブロックに関して、符号化された空間または時間的隣接ブロックに対応する複数の予測子候補を有する予測子候補のセットにアクセスするための手段と、
前記予測子候補のセットから予測子候補を選択するための手段と、
前記予測子候補のセットから前記選択された予測子候補に関連する複数の動きベクトルを用いて、前記ブロックに関する制御点動きベクトルのセットを得るための手段と、
前記制御点動きベクトルのセットに基づいて、前記符号化されるブロックのサブブロックの予測のために用いられた動きベクトルを識別する、動きモデルに基づく動きフィールドを得るための手段と、
前記動きフィールドに基づいて前記ブロックを符号化するための手段と、
前記予測子候補のセットから前記選択された予測子候補に関するインデックスを符号化するための手段と
を備える装置。
［付記４］
ビデオ復号のための装置であって、
ピクチャ内の復号されるブロックに関して、復号された空間または時間的隣接ブロックに対応する予測子候補に対応するインデックスにアクセスするための手段と、
前記予測子候補に関連する複数の動きベクトルを用いて、前記復号されるブロックに関する制御点動きベクトルのセットを得るための手段と、
前記制御点動きベクトルのセットに基づいて、前記復号されるブロックのサブブロックの予測のために用いられた動きベクトルを識別する、動きモデルに基づく動きフィールドを得るための手段と、
前記動きフィールドに基づいて前記ブロックを復号するための手段と
を備える装置。
［付記５］
１または複数の基準に従い、かつ前記複数の予測子候補の各々に関する前記動きフィールドに基づいて、前記複数の予測子候補を評価することと、
前記評価に基づいて、前記複数の予測子候補から前記予測子候補を選択することと
を更に備える、付記１に記載の符号化方法。
［付記６］
１または複数の基準に従い、かつ前記複数の予測子候補の各々に関する前記動きフィールドに基づいて、前記複数の予測子候補を評価するための手段と、
前記評価に基づいて、前記複数の予測子候補から前記予測子候補を選択するための手段と
を更に備える、付記３に記載の符号化装置。
［付記７］
前記１または複数の基準は、前記予測子候補のセットにおける前記複数の予測子候補の１または複数に対応するレート歪み決定に基づく、付記５〜６に記載の方法または装置。
［付記８］
前記動きフィールドに基づいて前記ブロックを復号または符号化することは、それぞれ、前記サブブロックに関する予測子に基づいて、前記動きベクトルによって示されている前記予測子を復号または符号化することを備える、付記１、２、および５〜７のいずれか１に記載の方法。
［付記９］
前記予測子候補のセットは、前記符号化または復号されるブロックの空間候補および／または時間候補を備える、付記１、２、および５〜８のいずれか１に記載の方法または付記３〜８のいずれか１に記載の装置。
［付記１０］
前記動きモデルはアフィンモデルである、付記１、２、および５〜９のいずれか１に記載の方法または付記３〜９のいずれか１に記載の装置。
［付記１１］
前記符号化または復号されるブロック内の各位置（ｘ，ｙ）に関する前記動きフィールドは、
【数１】
2020526066.tif 000001
によって決定され、式中、（ｖ０ｘ，ｖ０ｙ）および（ｖ１ｘ，ｖ１ｙ）は、前記動きフィールドを生成するために用いられた前記制御点動きベクトルであり、（ｖ０ｘ，ｖ０ｙ）は、前記符号化または復号されるブロックの左上角部の前記制御点動きベクトルに対応し、（ｖ１ｘ，ｖ１ｙ）は、前記符号化または復号されるブロックの右上角部の前記制御点動きベクトルに対応し、ｗは、前記符号化または復号されるブロックの幅である、付記１、２、および５〜１０のいずれか１に記載の方法または付記３〜１０のいずれか１に記載の装置。
［付記１２］
１または複数の追加の予測子候補が選択され、前記１または複数の追加の予測子候補に対応して１または複数の追加の制御点動きベクトルのセットが得られ、前記動きフィールドは、前記１または複数の追加の制御点動きベクトルのセットに更に基づいて得られる、付記１、２、および５〜１１のいずれか１に記載の方法または付記３〜１１のいずれか１に記載の装置。
［付記１３］
付記１、２、および５〜１２のいずれかに記載の方法に従って生成されたデータコンテンツを含む非一時的コンピュータ可読媒体。
［付記１４］
付記１、２、および５〜１２のいずれかに記載の方法に従って生成されたビデオデータを備える信号。
［付記１５］
１または複数のプロセッサによって実行されると、付記１、２、および５〜１２のいずれかに記載の方法を行うための命令を備えるコンピュータプログラム製品。